(57)【要約】【課題】  組み付け誤差や部品自体の誤差に影響されることなく、良好な押下感触でもって確実な押しボタンの操作を行えるボタン操作装置及び電子機器を提供すること。【解決手段】  ボタン操作装置８０は、筐体内に内蔵された光ディスク装置９３に対して位置決めされて取り付けられるベース部材８２と、このベース部材８２に対して軸部材８３を介して連結されたレバー部材８１とを備え、レバー部材８１は、筐体の外部からの押動力を受ける力点部８５と、光ディスク装置９３の押しボタン１０９に当接可能な作用点部８７とを有し、力点部８５が押動されると８３軸部材を支点にベース部材８２に対して回動されて、作用点部８７が押しボタン１０９を押し込む。【選択図】        図５
2005310543.tif 000002
【特許請求の範囲】
【請求項１】
筐体の内部に配設された内蔵機器の押しボタンを前記筐体の外部から操作するためのボタン操作装置であって、
前記内蔵機器に対して位置決めされて取り付けられるベース部材と、
前記ベース部材に対して軸部材を介して連結されたレバー部材とを備え、
前記レバー部材は、前記筐体の外部からの押動力を受ける力点部と、前記押しボタンに当接可能な作用点部とを有し、前記力点部が押動されると前記軸部材を支点に前記ベース部材に対して回動されて、前記作用点部が前記押しボタンを押し込む
ことを特徴とするボタン操作装置。
【請求項２】
前記力点部と前記軸部材との距離は、前記作用点部と前記軸部材との距離より小である
ことを特徴とする請求項１に記載のボタン操作装置。
【請求項３】
前記ベース部材は、前記レバー部材の前記押しボタンを押し込む方向への回動を規制するストッパ部を有する
ことを特徴とする請求項１に記載のボタン操作装置。
【請求項４】
筐体と、
前記筐体の内部に配設された内蔵機器と、
前記内蔵機器の押しボタンを前記筐体の外部から操作するためのボタン操作装置とを備えた電子機器であって、
前記ボタン操作装置は、
前記内蔵機器に対して位置決めされて取り付けられるベース部材と、
前記ベース部材に対して軸部材を介して連結されたレバー部材とを備え、
前記レバー部材は、前記筐体の外部からの押動力を受ける力点部と、前記押しボタンに当接可能な作用点部とを有し、前記力点部が押動されると前記軸部材を支点に前記ベース部材に対して回動されて、前記作用点部が前記押しボタンを押し込む
ことを特徴とする電子機器。
【請求項５】
前記力点部と前記軸部材との距離は、前記作用点部と前記軸部材との距離より小である
ことを特徴とする請求項４に記載の電子機器。
【請求項６】
前記ベース部材は、前記レバー部材の前記押しボタンを押し込む方向への回動を規制するストッパ部を有する
ことを特徴とする請求項４に記載の電子機器。
【請求項７】
前記押しボタンは押し込まれる方向の反対方向に付勢されて非作動位置が保持されており、
前記レバー部材の前記作用点部が前記押しボタンに対して押動力を与えない状態で当接されることで、前記レバー部材の非作動位置が保持されている
ことを特徴とする請求項４に記載の電子機器。
【発明の詳細な説明】
【技術分野】
【０００１】
本発明は、筐体の内部に配設された内蔵機器の押しボタンを筐体の外部から操作するためのボタン操作装置及び電子機器に関し、詳しくは、外部から加えられる直線状の押動力を回動力に変換して内蔵機器の押しボタンに伝達する機能を有するボタン操作装置及び電子機器に関する。
【背景技術】
【０００２】
一般に、電子機器の筐体内部に配設された各種内蔵機器に設けられた押しボタンは、筐体の内部に隠れるため、使用者の手によって直接押されずに、筐体外部に露出して設けられた押しボタンを押すことで間接的に押される構造となっている。例えば、特許文献１参照。
【特許文献１】実開平１−８０７３１号公報
【発明の開示】
【発明が解決しようとする課題】
【０００３】
しかし、一般に、筐体内部に配設された内蔵機器の押しボタンを筐体外部から操作するためのボタン操作装置を組み付けるに際して、内蔵機器の押しボタンと、ボタン操作装置における上記内蔵機器の押しボタンを押し込む部分との間の間隙をあまり小さく設定してしまうと、各部品の寸法誤差や組み付け誤差で内蔵機器の押しボタンが押されっぱなしの不具合が発生しやすくなる。これを防ぐため、上記間隙を十分に確保すると、使用者が触れて直接操作するボタン操作装置の移動ストロークが長くなる。一般にボタン操作のストロークが長いと使用者が感じる押下感触は悪化する傾向にある。
【０００４】
本発明は上述の問題に鑑みてなされ、その目的とするところは、組み付け誤差や部品自体の誤差に影響されることなく、良好な押下感触でもって確実な押しボタンの操作を行えるボタン操作装置及び電子機器を提供することにある。
【課題を解決するための手段】
【０００５】
本発明のボタン操作装置は、筐体の内部に配設された内蔵機器に対して位置決めされて取り付けられるベース部材と、このベース部材に対して軸部材を介して連結されたレバー部材とを備え、レバー部材は、筐体の外部からの押動力を受ける力点部と、内蔵機器の押しボタンに当接可能な作用点部とを有し、力点部が押動されると軸部材を支点にベース部材に対して回動されて、作用点部が内蔵機器の押しボタンを押し込むことを特徴としている。
【０００６】
また、本発明の電子機器は、筐体と、筐体の内部に配設された内蔵機器と、この内蔵機器の押しボタンを筐体の外部から操作するためのボタン操作装置とを備え、ボタン操作装置は、内蔵機器に対して位置決めされて取り付けられるベース部材と、ベース部材に対して軸部材を介して連結されたレバー部材とを備え、レバー部材は、筐体の外部からの押動力を受ける力点部と、押しボタンに当接可能な作用点部とを有し、ベース部材は力点部が押動されると軸部材を支点にベース部材に対して回動されて、作用点部が内蔵機器の押しボタンを押し込むことを特徴としている。
【０００７】
上記ボタン操作装置はてこの構造を有し、支点となる軸部材に対する力点部と作用点部の距離を任意に設定することで、使用者が力点部を移動させるストロークと、作用点部が内蔵機器の押しボタンを押し込むための移動ストロークを異ならせることができる。
【０００８】
これにより、例えば、軸部材と力点部との距離を、軸部材と作用点部との距離よりも小さくして、使用者が力点部を移動させるストロークを、作用点部が押しボタンを押し込むための移動ストロークよりも小さくすることで、作用点部と押しボタンとの間に、組み付け誤差などによって押しボタンが押されっぱなしとなるのを防ぐべく十分な間隙を確保しても、使用者が力点部を移動させるストロークを増大させることなく、すなわち使用者の押下感触を悪化させることなく、押しボタンの確実な押し込みを行える。
【０００９】
このように、使用者が感じるボタンの押下感触が、部品の組み付け誤差や部品自体の公差に影響を受けにくくなることで、製造された実製品を組み付けては押下感触を確認して適切になるまで繰り返す作業の工数と金型変更費を削減できる。
【００１０】
なお、上記とは、てこ比の大小関係を逆にすれば、すなわち、軸部材と力点部との距離を、軸部材と作用点部との距離よりも大きくすれば、使用者は比較的小さな押動力でもって内蔵機器の押しボタンを押せる。
【００１１】
また、ベース部材に、レバー部材の押しボタンを押し込む方向への回動を規制するストッパ部を設ければ、レバー部材の作用点部が過剰に押しボタンを押し込んでしまうことを抑制し、押しボタンの変形や破損を防げる。
【００１２】
また、押しボタンは押し込まれる方向の反対方向に付勢されて非作動位置が保持され、レバー部材の作用点部がその押しボタンに対して押動力を与えない状態で当接されることで、レバー部材の非作動位置が保持される構成とすれば、ボタン操作装置に別途弾性部材を設けることなく、既存の内蔵機器の押しボタンの復元力を利用してレバー部材を非作動位置へと戻すことができる。これにより、コスト低減が図れる。また、ボタン操作装置における部品点数の増大や構成の複雑化を抑えて、動作の不具合を抑制できる。
【発明の効果】
【００１３】
本発明のボタン操作装置によれば、組み付け誤差や部品自体の公差の影響を受けることなく、使用者の押下感触を悪化させることなく、押しボタンの確実な押し込みを行える。この結果、ボタン操作装置の設計変更や作り直し、あるいは組み付け直しを回避でき、コスト低減が図れる。
【００１４】
本発明の電子機器によれば、組み付け誤差や部品自体の公差の影響を受けることなく、使用者の押下感触を悪化させることなく、押しボタンの確実な押し込みを行える。この結果、電子機器の信頼性を高めると共に、ボタン操作装置の設計変更や作り直し、あるいは組み付け直しを回避でき、コスト低減が図れる。
【発明を実施するための最良の形態】
【００１５】
図１は本発明の実施形態に係る電子機器１の外観斜視図を示す。図２、図３はそれぞれ、電子機器１の正面図、上面図である。本実施形態では、電子機器１は、いわゆるタワー型パーソナルコンピュータの本体である。
【００１６】
電子機器１は、筐体２及び３が組み合わされなる直方体形状の外部筐体を有し、その外部筐体は台座８によって設置面上に支持される。
【００１７】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。
【００１８】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００１９】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。
【００２０】
筐体３は、背板部と、この背板部の縁部を囲むように設けられた上板部３ｂ、側板部３ｃ、３ｄとからなる箱型形状を呈している。
【００２１】
上述した外部筐体は例えば樹脂材料からなり、その内部には、図１４に示す内部筐体１４３が内蔵されている。内部筐体１４３は、例えば金属材料からなり、電子機器１の剛性を高める補強部材及び内蔵機器の取付部材として機能する。
【００２２】
内部筐体１４３は、背板部１７２と、この背板部１７２の縁部を囲むように設けられた上板部１４４と、側板部１４５、１４８、１４７と、底板部１４６とからなる箱型形状を呈している。
【００２３】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００２４】
側板部１４８には排気用開口１５３、１５４が多数の小孔として形成されている。さらに、側板部１４８には、配線接続部である各種コネクタを露出させるための開口４３、４４、１４９が形成されている。
【００２５】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されるチューナーの入力端子を露出させるための開口１５６、１５７、１５８が形成されている。
【００２６】
背板部１７２には、吸気と内部筐体１４３の軽量化を図るための開口１５２、１６５、１６４、１６３が形成されている。また、背板部１７２において、開口１６５が形成された領域は内部筐体１４３内に収容される内蔵機器であるハードディスク装置の取付領域であり、その領域には、図１５に示す複数のハードディスク装置を収容した枠体１２１が引っ掛けられるようにして着脱自在に取り付けられる４つの掛止部１６８が、背板部１７２の内面側に突出して設けられている。
【００２７】
内部筐体１４３の内部には、ハードディスク装置の他にも、光ディスク装置、マザーボード、チューナーボード、電源ユニットなどの各種内蔵機器が配設される。
【００２８】
図４は、筐体２の上板部２ｂと前板部２ａとの間の角部における、上記押しボタン１１、１２、１３が配設された部分の拡大斜視図を示す。
【００２９】
筐体２の上板部２ｂと前板部２ａとの角部には細長い開口６３が形成されている。開口６３は上板部２ｂ及び前板部２ａの長手方向に沿って延在し、その延在長さはシャッター６の横幅とほぼ同じ長さとなっている。開口６３は、シャッター６によって開閉される開口２ｅの上縁部の近傍に、その上縁部に平行に位置される。
【００３０】
押しボタン１１、１２、１３は、その開口６３に遊嵌している。すなわち、押しボタン１１、１２、１３の外形を縁取る押しボタン１１、１２、１３の外縁部と、開口６３の内縁部との間には、押しボタン１１、１２、１３が後述する方向へと動くことができるように隙間がある。各押しボタン１１、１２、１３の略直角に曲げられた表面１１ａ、１１ｂ、１２ａ、１２ｂ、１３ａ、１３ｂは、開口６３から筐体２の外部に露出され、人の指などによって押される押圧操作面として機能する。
【００３１】
上記押しボタンのうち押しボタン１１の内方には、図５に示すボタン操作装置８０が配設される。ボタン操作装置８０は、ベース部材８２と、レバー部材８１とが軸部材８３によって連結されてなる。ベース部材８２とレバー部材８１は共に金属材料からなる。
【００３２】
ベース部材８２は、主板部８９と、主板部８９に対して屈曲されて設けられた副板部９２と、位置決め部９１と、副板部９２と位置決め部９１とをつなぐ段部９９と、取付部９０ａ、９０ｂとが一体成形されてなる。
【００３３】
主板部８９には、ストッパ部８９ａ、８９ｂが設けられている。ストッパ部８９ａ、８９ｂは、主板部８９から立ち上げられ、さらに主板部８９に向き合わされるように屈曲された片として設けられている。
【００３４】
取付部９０ａ、９０ｂは、主板部８９の長手方向に沿った両端部に設けられ、それぞれの取付部９０ａ、９０ｂには、後述する補助取付具にねじ止めするための貫通孔が形成されている。
【００３５】
段部９９は、副板部９２及び位置決め部９１それぞれに対して略直角に屈曲されている。位置決め部９１の先端側には切欠き９１ａが形成されている。
【００３６】
レバー部材９１は、主板部８４と、主板部８４の一部分を略直角に屈曲させて設けられた力点部８５と、主板部８４に対して屈曲された副板部８６と、副板部８６に対して略直角に屈曲された作用点部８７とが一体成形されてなる。
【００３７】
主板部８４には、剛性を高めるためにリブ８８が設けられている。また、主板部８４には、軽量化のために複数の丸孔状の肉抜き孔があけられている。さらに、主板部８４は、上記ベース部材８２のストッパ部８９ａに当接可能な切欠き８４ｃと、上記ストッパ部８９ｂに当接可能な段部を有する。この段部は、主板部８４の縁部８４ａと、この縁部８４ａに対して略直角に屈曲されてつながる縁部８４ｂとで形成される。
【００３８】
レバー部材８１は、ベース部材８２に対して、軸部材８３を介して連結される。レバー部材８１は、その軸部材８３を支点に、ベース部材８２に対して回動自在となっている。
【００３９】
レバー部材８１とベース部材８２とが連結された状態では、ベース部材８２の主板部８９とレバー部材８１の主板部８４とはわずかの間隙をあけて平行に対向される。ベース部材８２の副板部９２とレバー部材８１の副板部８６とは、上記ベース部材８２の主板部８９とレバー部材８１の主板部８４との間の間隙より大きい間隙をあけて平行に対向される。
【００４０】
レバー部材８１の主板部８４は、ベース部材８２の両取付部９０ａ、９０ｂの間に位置される。レバー部材８１の作用点部８７と、ベース部材８２の段部９９とは、図１０に示されるように互いに離間された状態で平行にされる。
【００４１】
図５において、レバー部材８１が、軸部材８３を支点に例えば時計方向に回動されると、レバー部材８１の切欠き８４ｃの縁部が、ベース部材８２のストッパ部８９ａの縁部に引っかかることで、レバー部材８１のそれ以上の回動が規制される。
【００４２】
逆に、反時計方向への回動の規制は、ベース部材８２のストッパ部８９ｂの縁部に、レバー部材８１の主板部８４の縁部８４ａと縁部８４ｂとで形成される段部が引っかかることで、レバー部材８１の反時計方向への回動が規制される。
【００４３】
上述した内部筐体１４３において、外部筐体２の前板部２ａと向き合わされる部分であって上半分ほどの部分には補助取付具９４が取り付けられる。
【００４４】
補助取付具９４は剛性の高い金属材料からなり、内蔵機器である光ディスク装置の本体が収容される本体収容部９６と、その光ディスク装置の本体から引き出されたディスクトレーが収容される凹所２１を有する。
【００４５】
本体収容部９６の上方にはフック部１０３が設けられており、そのフック部１０３は、内部筐体１４３の上板部１４４と、その上板部１４４の前端縁部と略直角になるように設けられた帯板部１４４ａとの角部に引っ掛けられる。
【００４６】
本体収容部９６の左端縁部にはフランジ部１０１が設けられており、そのフランジ部１０１は、内部筐体１４３の側板部１４５の前端縁部と略直角になるように設けられた帯板部に例えばねじ止めされる。
【００４７】
凹所２１の右端縁部にはフランジ部１０２が設けられており、そのフランジ部１０２は、内部筐体１４３の側板部１４７の前端縁部と略直角になるように設けられた帯板部に例えばねじ止めされる。
【００４８】
凹所２１の底部の裏面側は、内部筐体１７３の背板部１７２に取り付けられたハードディスクユニット１２１に重ね合わされる。凹所２１の底部中央付近には、２つの貫通孔９８が形成されており、その貫通孔９８それぞれにねじが通されハードディスクユニット１２１に螺着される、これにより、補助取付具９４は、ハードディスクユニット１２１とも固定される。また、凹所２１の底部には、上記貫通孔９８を挟むようにして２本のリブ９７が設けられて剛性が高められている。
【００４９】
本体収容部９６には、十字状にリブ１０５が設けられており、剛性が高められている。さらに、本体収容部９６には、軽量化及び放熱のための複数の貫通孔が形成されている。
【００５０】
本体収容部９６には、図６に示すようにして光ディスク装置９３の本体が収容される。光ディスク装置９３はそのディスクトレー２０の引出口を凹所２１に臨ませている。
【００５１】
光ディスク装置９３において、ディスクトレー２０の引出口の側方には押しボタンが設けられ、その押しボタンは、本体収容部９６と凹所２１との間の段部１０７（図１５参照）に形成された開口１０８から、図９に示すように補助取付具９４の外部に露出させている。この押しボタン１０９を押すことでディスクトレー２０が本体から引き出される。また、引き出された状態で押すとディスクトレー２０は本体内に装填される。
【００５２】
上述したボタン操作装置８０は、補助取付具９４の上板部９５に、図６、７、８、１０に示すようにして取り付けられる。また、図１２は、ボタン操作装置８０が位置決めされて取り付けられた上板部９５の要部拡大平面図を示し、図１１はボタン操作装置８０が位置決めされる前の状態を示す。
【００５３】
ボタン操作装置８０は、その軸部材８３が図６に示すように、上板部９５に対して傾いた状態で取り付けられる。例えば、上板部９５の上面に対して略４５゜傾けられる。また、レバー部材８１の主板部８４及びベース部材８２の主板部８９も、上板部９５の上面に対して略４５゜傾けられる。レバー部材８１の副板部８６及びベース部材８２の副板部９２は、図８に示すように凹所２１の裏面側に位置される。
【００５４】
図９に示すように、光ディスク装置９３の押しボタン１０９が露出される開口１０８は本体収容部９６の裏面側にも及んでおり、その開口縁部に片持ち支持される片として係止部１０４が設けられている。係止部１０４は、光ディスク装置９３における本体収容部９３に向き合わされる面との間に間隙を形成してその面に対して向き合わされている。
【００５５】
その係止部１０４に、ベース部材８２の位置決め部９１に形成された切欠き９１ａが、図８、１２に示すようにして係合される。すなわち、切欠き９１ａの中に係止部１０４が入り込んで、ベース部材８２の補助取付具９４に対する（図８における）上下方向の移動が規制される。
【００５６】
また、ベース部材８２の副板部９２と位置決め部９１との間の段部９９は、上記開口９３から露出される光ディスク装置９３の押しボタン１０９の側方部分（図９において斜線で示す部分）に当接される（図１０も参照）。この当接により、ボタン操作装置８０の光ディスク装置９３に対する位置決めがなされる。
【００５７】
上記位置決めされた状態で、ベース部材８２の取付部９０ａ、９０ｂが、補助取付具９４の上板部９５にねじ止めされる。具体的には、取付部９０ａ、９０ｂに形成された貫通孔１１０（図１１参照）に、ねじ１１１（図１２参照）が通され、そのねじ１１１は上板部９５に螺着される。例えば、取付部９０ａが取り付けられる部分には図９に示すように屈曲片１０６が設けられ、上記ねじ１１１はその屈曲片１０６に形成されたねじ孔１０６ａに螺着される。
【００５８】
レバー部材８１の作用点部８７は、上記開口１０８から露出される光ディスク装置９３の押しボタン１０９に接触される。図１０に示される作用点部８７の、紙面向こう側に押しボタン１０９が位置している。
【００５９】
押しボタン１０９は、光ディスク装置９３内部に設けられたコイルばねなどの弾性部材によって押し込まれる方向の反対方向に付勢されてその非作動位置が保持されている。その押しボタン１０９に、レバー部材８１の作用点部８７が、押しボタン１０９に対して押動力を与えない状態で軽く当接され、これにより、レバー部材８１の非作動位置（ベース部材８２に対してレバー部材８１が図５に示される状態にある位置）が保持される。これにより、別途弾性部材をボタン操作装置８０に備えさせることなく、既存の構成部材である光ディスク装置９３の押しボタン１０９の復元力を利用して、ボタン操作装置８０の非作動位置を保持できる。
【００６０】
レバー部材８１の力点部８５は外部筐体２、３の外部には露出されない。力点部８５へは、上述した外部筐体２に設けられた押しボタン１１を介して押動力が伝達される。すなわち、図１６に示すように、押しボタン１１の裏側には、筐体内方に向けて延びる軸部材１１５が設けられ、その軸部材１１５の下端部は、わずかの間隙（例えば１ｍｍほど）を隔てて、力点部８５に向き合わされている。
【００６１】
そして、筐体２の外部にその押圧操作面１１ａ、１１ｂが露出されている押しボタン１１が使用者によって押されると、上記軸部材１１５がその下端部で力点部８５を押す。押しボタン１１及び軸部材１１５が押動される方向は、図示しないガイド部材によって一定方向（例えば、図４に示す筐体２の上板部２ｂに対して略４５゜傾き、かつ前板部２ａに対しても略４５゜傾いた方向）に制限されている。この一定方向は、レバー部材８１を図５に示す非作動位置から軸部材８３を支点に時計方向に回動させる方向である。
【００６２】
力点部８５が上記押しボタン１１からの押動力を受けると、レバー部材８１はベース部材８１に対して図５に示す非作動位置から軸部材８３を支点に時計方向に回動される。これにより、レバー部材８１の作用点部８７が、光ディスク装置９３の押しボタン１０９（図９参照）を押し込む。
【００６３】
なお、レバー部材８１の切欠き８４ｃの縁部が、ベース部材８２のストッパ部８９ａの縁部に引っかかることで、レバー部材８１のそれ以上の上記方向への回動が規制される。これにより、作用点部８７が押しボタン１０９を必要以上に押し込んでしまうことを抑制し、押しボタン１０９の故障を防げる。
【００６４】
光ディスク装置９３の上記押しボタン１０９が押されると、光ディスク装置９３本体からディスクトレー２０が引き出され、シャッター６がそのディスクトレー２０の動作に連動して自動で下方にスライド移動される。これにより、前板部２ａの開口２ｅに臨んで設けられた凹所２１及びそこに引き出されたディスクトレー２０が前板部２ａの開口２ｅから露出され、ディスクトレー２０に対するディスク状記録媒体の着脱が行える。
【００６５】
なお、凹所２１の上方には、図１３に示すように、各種半導体メモリカード１１４ａ、１１４ｂ、１１４ｃのスロットが設けられ、シャッター６が開くとそれらスロットに対する半導体メモリカード１１４ａ、１１４ｂ、１１４ｃの挿脱も行える。
【００６６】
押しボタン１１への押動力が解除されれば、上述した光ディスク装置９３の押しボタン１０９の復元力を利用して、ボタン操作装置８０は自然に非作動位置に戻される。そして、ディスクトレー２０が引き出された状態で、押しボタン１１を再び押せばレバー部材８１は上記と同様に回動され、光ディスク装置９３の押しボタン１０９を押し、ディスクトレー２０は光ディスク装置９３本体内に装填される。これに連動してシャッター６も閉じる。なお、シャッター６の動作は上記ディスクトレー２０の動作と連動させることに限らず、例えば押しボタン１２はシャッター６の開閉専用に設けられている押しボタンであるので、この押しボタン１２を押すことでディスクトレー２０の動作とは関係なくシャッター６を動作させることができる。
【００６７】
本実施形態に係る上記ボタン操作装置８０は、使用者からの押動力を受ける力点部８５と、レバー部材８１の回動支点である軸部材８３と、光ディスク装置９３の押しボタン１０９に当接してそれを押し込む作用点部８７とを有するてこの構造となっているため、支点となる軸部材８３に対する力点部８５と作用点部８７の距離を任意に設定することで、使用者が力点部８５を移動させるストロークと、作用点部８７が押しボタン１０９を押し込むための移動ストロークを異ならせることができる。
【００６８】
例えば、本実施形態では、軸部材８３と力点部８５との距離を、軸部材８３と作用点部８７との距離よりも小さくして、使用者が力点部８５を移動させるストロークを、作用点部８７が押しボタン１０９を押し込むための移動ストロークよりも小さくしている。例えば、使用者が力点部８５を移動させるストロークは約０．５ｍｍであり、作用点部８７が押しボタン１０９を押し込むための移動ストロークは約０．９５ｍｍである。
【００６９】
これにより、作用点部８７と押しボタン１０９との間に、組み付け誤差などによって押しボタン１０９が押されっぱなしとなるのを防ぐべく十分な間隙を確保しても、使用者が力点部８５を移動させるストロークを増大させることなく、すなわち使用者の押下感触を悪化させることなく、押しボタン１０９の押し込みを行える。
【００７０】
このように、使用者が感じるボタンの押下感触が、部品の組み付け誤差や部品自体の公差に影響を受けにくくなることで、製造された実製品を組み付けては押下感触を確認して適切になるまで繰り返す作業の工数と金型変更費を削減でき、コスト削減が図れる。
【００７１】
なお、上記とはてこ比の大小関係を逆にすれば（軸部材８３と力点部８５との距離を、軸部材８３と作用点部８７との距離よりも大きくすれば）、比較的小さな押動力でもって光ディスク装置９３の押しボタン１０９を押せる。
【００７２】
また、作用点部８７は広がりを持った面でもって、かつ押しボタン１０９の長手方向に沿って延在して押しボタン１０９に向き合わされる。例えば、作用点部８７の平面寸法は押しボタン１０９の平面寸法より大きい。これにより、図１７に示すように、押しボタン位置の違う複数社の光ディスク装置９３に対して、上記ボタン操作装置８０を共通して用いることができる。
【００７３】
すなわち、図１７における右方に示すように、楕円状の押しボタン１０９ａはその中心が光ディスク装置９３の上面から例えば２０．５ｍｍの位置に設けられ、矩形状の押しボタン１０９ｂはその中心が光ディスク装置９３の上面から例えば２４ｍｍの位置に設けられ、上下方向に関して両押しボタン１０９ａ、１０９ｂの位置がずれているが、上記レバー部材８１作用点部８７はどちらの押しボタン１０９ａ、１０９ｂにも当接して押し込み可能に上下方向に延在しているため、押しボタン１０９ａ、１０９ｂの位置が多少ずれても同じボタン操作装置８０にて対応できる。ボタン操作装置８０の取付位置も変更する必要はない。
【００７４】
また、上述したように作用点部８７と、押しボタン１０９ａ、１０９ｂとの間の間隙を十分に確保することで、図１７において左方に示されるように両押しボタン１０９ａ、１０９ｂの突出高さが異なっていても、同じボタン操作装置８０にて対応できる。ボタン操作装置８０の取付位置も変更する必要はない。
【００７５】
また、本実施形態では、使用者が実際にボタン操作装置８０を操作する方向（力点部８５を押す方向）と、光ディスク装置９３の押しボタン１０９が押し込まれる方向とが一致していなくても、レバー部材８１の回動により、力点部への押動力は押しボタン１０９に伝達されるので、筐体内における光ディスク装置を、使用者の押動操作の方向にとらわれずに配置でき、光ディスク装置の配置レイアウトの自由度を大きくすることができる。
【００７６】
また、ボタン操作装置８０は、筐体外部に押圧操作面が露出される押しボタン１１と、筐体内部に配設される光ディスク装置９３の押しボタン１０９とから独立した構成であるためメンテナンス性にも優れる。
【００７７】
以上、本発明の実施形態について説明したが、勿論、本発明はこれに限定されることなく、本発明の技術的思想に基づいて種々の変形が可能である。
【００７８】
本発明において内蔵機器の押しボタンは、光ディスク装置のディスクトレーを動作させるための押しボタンに限らず、その他筐体内に配設された回路基板に実装されたマイクロスイッチなどの押しボタンであってもよい。
【００７９】
上記実施形態では、電子機器をタワー型コンピュータの本体として説明したが、例えばハードディスクレコーダ、ＤＶＤ（Digital Versatile disc）装置、ゲーム機などであってもよい。
【図面の簡単な説明】
【００８０】
【図１】本発明の実施形態に係る電子機器の斜視図である。
【図２】同電子機器の正面図である。
【図３】同電子機器の上面図である。
【図４】同電子機器における外部筐体に設けられた押しボタン配設箇所の拡大斜視図である。
【図５】本発明の実施形態に係るボタン操作装置の斜視図である。
【図６】内蔵機器及びこれに取り付けられたボタン操作装置の斜視図である。
【図７】図６の正面図である。
【図８】図７の裏面図である。
【図９】内蔵機器要部の拡大斜視図である。
【図１０】図７の右側面図である。
【図１１】内蔵機器に対するボタン操作装置の位置決めを説明する平面図である。
【図１２】図１１の状態から、ボタン操作装置が内蔵機器に対して位置決めされて取り付けられた状態を示す平面図である。
【図１３】上記電子機器要部の拡大斜視図である。
【図１４】上記電子機器の内部筐体の斜視図である。
【図１５】上記内部筐体に内蔵機器が取り付けられた状態の要部拡大斜視図である。
【図１６】本発明の実施形態に係るボタン操作装置配設箇所の断面図である。
【図１７】内蔵機器に設けられる押しボタンの機種による違いを示す図である。
【符号の説明】
【００８１】
１…電子機器、２，３…外部筐体、２０…ディスクトレー、８０…ボタン操作装置、８１…レバー部材、８２…ベース部材、８３…軸部材、８５…力点部、８７…作用点部、８９ａ…ストッパ部、９３…内蔵機器（光ディスク装置）、９４…補助取付具、１０９…内蔵機器の押しボタン、１４３…内部筐体。
【図１】
2005310543.tif 000003
【図２】
2005310543.tif 000004
【図３】
2005310543.tif 000005
【図４】
2005310543.tif 000006
【図５】
2005310543.tif 000007
【図６】
2005310543.tif 000008
【図７】
2005310543.tif 000009
【図８】
2005310543.tif 000010
【図９】
2005310543.tif 000011
【図１０】
2005310543.tif 000012
【図１１】
2005310543.tif 000013
【図１２】
2005310543.tif 000014
【図１３】
2005310543.tif 000015
【図１４】
2005310543.tif 000016
【図１５】
2005310543.tif 000017
【図１６】
2005310543.tif 000018
【図１７】
2005310543.tif 000019